Podtech/llm-jp-corpus-v4-ja_patent huggingface dataset:
(57)【特許請求の範囲】
【請求項１】
ポケットを形成するネットが傾斜地に吊設された落石防護ネット工において、
防護ネットを形成する上下に延びるワイヤーロープがジグザグの形にして並べられ、隣りあうワイヤーロープのジグザグの形は左右逆向きとされ、
隣りあうワイヤーロープ同士の接近部位には、挿通されたワイヤーロープと一体化を図る固定孔と、挿通されたワイヤーロープを摺動自在に通過させる非固定孔とを備えた錘が配置され、
隣りあう一方のワイヤーロープは錘の一つおきでその固定孔に固定されるとともに、他の錘では非固定孔で摺動自在とされており、
隣りあう他方のワイヤーロープは一方のワイヤーロープを固定させている錘の非固定孔で摺動自在とされるとともに、一方のワイヤーロープを摺動自在としている錘の固定孔では固定されていることを特徴する落石エネルギーの高吸収型防護ネット工。
【発明の詳細な説明】
【技術分野】
【０００１】
本発明は落石エネルギーの高吸収型防護ネット工に係り、詳しくはネットの重量増大化により落石の衝撃を和らげるようにした高吸収エネルギー型落石防護ネットに関するものである。
【背景技術】
【０００２】
待受け式の落石防止工法を採用するにあたり、その傾斜地に存在する大きさの落石の運動エネルギーを算定し、そのエネルギーに耐えるネットの材料・強度の選定、ネット衝突後の減速効果等を考慮して安全の目安としての仕様を決定している。
【発明の開示】
【発明が解決しようとする課題】
【０００３】
従来からある工法のうちポケット式ロックネットにおいては、衝突した落石をネットで受け止めることになるが、ネットをワイヤーロープで形成させただけでは、その重量によって大きな落石のエネルギーに対抗しきれない。また、ネットの網目の変形がないか少ないから、落石の運動エネルギーを吸収する作用も効果的なものとはなり難い。
【０００４】
本発明は上記の問題に鑑みなされたもので、その目的とするところは、落石をネットで受け止めやすくするためのネットの重量増大化を図ること、落石の運動エネルギーを吸収しやすくするためネットの変形を許容すること、これらによってポケット式ロックネットの安全性の改善を図ろうとする落石エネルギーの高吸収型防護ネット工を提供することである。
【課題を解決するための手段】
【０００５】
本発明は、ポケットを形成するネットが傾斜地に吊設された落石防護ネット工に適用される。その特徴とするところは、図２を参照して、防護ネットを形成する上下に延びるワイヤーロープがジグザグの形に並べられ、隣りあうワイヤーロープのジグザグの形は左右逆向きとされる。隣りあうワイヤーロープ同士の接近部位には、挿通されたワイヤーロープと一体化を図る固定孔と、挿通されたワイヤーロープを摺動自在に通過させる非固定孔とを備えた錘が配置される。隣りあう一方のワイヤーロープは錘の一つおきでその固定孔に固定されるとともに、他の錘では非固定孔で摺動自在とされる。隣りあう他方のワイヤーロープは一方のワイヤーロープを固定させている錘の非固定孔で摺動自在とされるとともに、一方のワイヤーロープを摺動自在としている錘の固定孔では固定されるという構成にしたことである。
【発明の効果】
【０００６】
ネットが落石の衝突による衝撃荷重を受けたとき、錘の取付けによって重量増大の図られたネットが落石の運動エネルギーに対抗し、落石の運動エネルギーを弱める。ジグザグしたワイヤーロープで形成されていた網目が非固定孔で摺動したワイヤーロープによって変形し、ネットの面変形に基づき落石の衝撃が和らげられる。
【発明を実施するための最良の形態】
【０００７】
本発明に係る落石エネルギーの高吸収型防護ネット工を、図面に基づいて詳細に説明する。このネット工は、図３に示すポケット支柱の下方空間にポケットを形成するネットが傾斜地に図１に示すごとく吊設されたものである。図２にあるように、防護ネットを形成するのは上下に延びるワイヤーロープであり、それがジグザグの形に並べられ、隣りあうワイヤーロープのジグザグの形は左右逆向きとされている。
【０００８】
隣りあうワイヤーロープ同士の接近部位には、錘が配置される。この錘は、挿通されたワイヤーロープと一体化を図る固定孔と、挿通されたワイヤーロープを摺動自在に通過させる非固定孔とを備える。固定孔と非固定孔は錘の中央に破線で上下方向に細長く示した仕切り壁を挟んで画成されるが、固定孔には固定用ボルトがロープに並ぶようにして挿入され、小さく描かれている錐状のナットのくさび作用によってワイヤーロープを固定孔に緊締できるようにしている。
【０００９】
この図２から分かるように、錘の姿勢はいずれも同じであって、上下に伸びる固定孔と非固定孔の左右関係も同じである。すなわち、隣りあう一方のワイヤーロープは錘の一つおきでその固定孔に固定されるとともに、他の錘では非固定孔で摺動自在とされている。隣りあう他方のワイヤーロープは一方のワイヤーロープを固定させている錘の非固定孔で摺動自在とされるとともに、一方のワイヤーロープを摺動自在としている錘の固定孔では固定されている。
【００１０】
非固定孔ではワイヤーロープが摺動自在であるから、ネットが落石を受けたとき作用するワイヤーロープの張力変化により、ワイヤーロープが錘に対してずれることができる。逆に言えば、錘が元の位置から変わることになる。このような挙動によってネットは図３のようであった状態から図４のごとく面変形しやすくなる。この変形は落石の衝撃を減殺させるように作用して、ネットの安全性を高める。
【００１１】
錘自体はネットの重量を増大させるから、ネットの持つ落石の運動エネルギーに対抗する能力を向上させている。すなわちネットの慣性が大きくなっている分だけ、落石の有する慣性力がネットに作用しても、そのエネルギーを弱める。
【００１２】
結局は、ネットに衝突した時点で落石の運動エネルギーは、錘なしネットの場合に比べれば減少されたかのようになり、さらには衝突直後のネットの変形は落石の運動エネルギーの吸収を果たす。なお、衝突前後のエネルギー差は、落石重量に対し衝突する架設材料の重量との対比で算出する。そこで架設材料の重量が大きくなる程吸収されるエネルギーが増大することから架設材料の重量体を中空状の鋳鉄、コンクリートブロック等の経済性の高い部材を付加することにより衝突前後のエネルギー差を増大させるようにしているのである。
【図面の簡単な説明】
【００１３】
【図１】本発明の落石エネルギーの高吸収型防護ネット工の施工正面図。
【図２】錘とワイヤーロープの施工状況詳細図。
【図３】落石エネルギーの高吸収型防護ネット工の施工側面図。
【図４】落石が作用したときの状況図。
【図１】
0005037306.tif 000002
【図２】
0005037306.tif 000003
【図３】
0005037306.tif 000004
【図４】
0005037306.tif 000005
(57)【特許請求の範囲】
【請求項１】
入口通路と出口通路および両通路を連通する弁口を形成するトラップ筐体、入口通路側から弁口に対向して配され圧力変動に応じて湾曲して弁口を開閉する金属ダイヤフラム、トラップ筐体壁に締結された内蓋と金属ダイヤフラムによって形成された圧力室、入口通路と圧力室とを連通する様に内蓋に貫通して設けられた導入孔、圧力室と出口通路とを連通する様に金属ダイヤフラムに貫通して設けられた導出孔、導入孔を低温時に閉口し高温時に開口すると共に導出孔を低温時に開口し高温時に閉口する反転バイメタル弁から成ることを特徴とするパイロット式スチームトラップ。
【発明の詳細な説明】
【技術分野】
【０００１】
本発明は蒸気配管系に発生する復水を排出するスチームトラップに関し、特に、入口通路側の温度を反転バイメタル弁で検出して圧力応動弁としての金属ダイヤフラムを駆動するパイロット式スチームトラップに関する。
【背景技術】
【０００２】
この種のパイロット式スチームトラップは、入口通路と出口通路および両通路を連通する弁口を形成するトラップ筐体、入口通路側から弁口に対向して配され圧力変動に応じて湾曲して弁口を開閉する金属ダイヤフラム、トラップ筐体壁に締結された内蓋と金属ダイヤフラムによって形成された圧力室、入口通路と圧力室とを連通する様に内蓋に貫通して設けられた導入孔、圧力室と出口通路とを連通する様に金属ダイヤフラムに貫通して設けられ導入孔よりも大径の導出孔、導出孔を低温時に開口し高温時に閉口する反転バイメタル弁から成るものである。
【０００３】
上記従来のパイロット式スチームトラップは、導入孔が常に開口したものであるので、低温時に反転バイメタル弁が導出孔を開口したときに、圧力室の圧力を低下させるのに時間が掛かり、金属ダイヤフラムによる弁口の開口に遅れが生じる問題点があった。
【特許文献１】特公昭５７−８３５５号公報
【発明の開示】
【発明が解決しようとする課題】
【０００４】
従って、本発明の技術的課題は、低温時に反転バイメタル弁が導出孔を開口したときに、圧力室の圧力を素早く低下させて、金属ダイヤフラムによる弁口の開口に遅れを生じることのないパイロット式スチームトラップを提供することである。
【課題を解決するための手段】
【０００５】
上記の技術的課題を解決するために講じた本発明の技術的手段は、入口通路と出口通路および両通路を連通する弁口を形成するトラップ筐体、入口通路側から弁口に対向して配され圧力変動に応じて湾曲して弁口を開閉する金属ダイヤフラム、トラップ筐体壁に締結された内蓋と金属ダイヤフラムによって形成された圧力室、入口通路と圧力室とを連通する様に内蓋に貫通して設けられた導入孔、圧力室と出口通路とを連通する様に金属ダイヤフラムに貫通して設けられた導出孔、導入孔を低温時に閉口し高温時に開口すると共に導出孔を低温時に開口し高温時に閉口する反転バイメタル弁から成ることを特徴とするものである。
【発明の効果】
【０００６】
本発明は、反転バイメタル弁が導入孔を低温時に閉口し高温時に開口すると共に導出孔を低温時に開口し高温時に閉口するものであるので、低温時に反転バイメタル弁が導出孔を開口したときに、圧力室の圧力を素早く低下させることができ、金属ダイヤフラムによる弁口の開口に遅れを生じることがないという優れた効果を生じる。
【発明を実施するための最良の形態】
【０００７】
本発明は、反転バイメタル弁が導入孔を低温時に閉口し高温時に開口すると共に導出孔を低温時に開口し高温時に閉口するものである。すなわち、低温時に反転バイメタル弁が導出孔を開口すると共に導入孔を閉口するものである。そのため、低温時に反転バイメタル弁が導出孔を開口したときに、圧力室の圧力を素早く低下させることができ、金属ダイヤフラムによる弁口の開口に遅れを生じることがない。
【実施例１】
【０００８】
上記の技術的手段の具体例を示す実施例を説明する（図１参照）。本体１に蓋２を締結して内部に空室３を有するトラップ筐体を形成する。空室３には入口通路４と出口通路５が開口する。出口通路５の空室３側端に環状に突出する弁座６を形成し、弁座６により弁口７を形成する。空室３側より弁座６に対向して金属製ダイヤフラム８を配置する。金属製ダイヤフラム８には周辺部に上下２枚の環状引張り板９，１０を溶接している。金属製ダイヤフラム８は弁座６と同心円上に突出して設けられた突部１１上に載置し、突部１１に締結する内蓋１２との間に挟持する。金属製ダイヤフラム８により２分された空室３を連通する通孔１３を突部１１に形成する。
【０００９】
金属製ダイヤフラム８と内蓋１２の間に圧力室１４を形成し、入口通路４と圧力室１４を連通する導入孔１５を内蓋１２の中央に貫通して形成する。金属製ダイヤフラム８の中央に圧力室１４と出口通路５を連通する導出孔１６を有する短管１７を溶接する。導入孔１５と導出孔１６は上下に対向して形成する。導入孔１５と導出孔１６を開閉する反転バイメタル弁１８を圧力室１４内に自由状態で配置する。反転バイメタル弁１８は円板状の反転バイメタル板１８ａと、反転バイメタル板１８ａの上面に固着され導入孔１５を開閉する導入弁体１８ｂと、反転バイメタル板１８ａの下面に固着され導出孔１６を開閉する導出弁体１８ｃとから成り、高温時に実線で示すように凹状に湾曲して導入孔１５を開口し導出孔１６を閉口すると共に低温時に二点鎖線で示すように凸状に反転して導入孔１５を閉口し導出孔１６を開口する。
【００１０】
高温時、反転バイメタル弁１８は実線で示すように凹状に湾曲して導入孔１５を開口し導出孔１６を閉口する。圧力室１４が入口通路４側圧力に近い高圧となり、金属製ダイヤフラム８は下方に湾曲し、弁座６に着座して弁口７を閉口する。低温時、バイメタル弁１６は二点鎖線で示すように凸状に反転して導入孔１５を閉口し導出孔１６を開口する。圧力室１４が出口通路５側圧力に近い低圧となり、金属製ダイヤフラム８は上方に湾曲し、弁座６から離座して弁口７を開口する。
【図面の簡単な説明】
【００１１】
【図１】本発明の実施例のパイロット式スチームトラップの断面図である。
【符号の説明】
【００１２】
１  本体
２  蓋
３  空室
４  入口通路
５  出口通路
６  弁座
７  弁口
８  金属製ダイヤフラム
１２  内蓋
１４  圧力室
１５  導入孔
１６  導出孔
１８  反転バイメタル弁
【図１】
0005037380.tif 000002
(57)【特許請求の範囲】
【請求項１】
植物の茎に取り付けられる平板状の部材からなり、該部材の外側縁から前記部材の中心を超える長さを有する切れ目が形成され、前記中心において前記茎に取り付けられる害虫防護用具において、
前記平板状の部材は、弾力性のある柔らかい素材で形成された、前記植物が成長した状態の茎の直径を吸収するサイズを有する板状の中心部と、該中心部を囲むように該中心部の外側に配置された硬い素材で形成された辺縁部とを備え、前記切れ目が前記辺縁部の外側縁より中心に向かって該中心を越えて延び、かつ中心部の反対側の縁まで達しない長さであることを特徴とする害虫防護用具。
【請求項２】
中心部（１）の厚さが、前記辺縁部の厚さより厚いことを特徴とする請求項１の害虫防護用具。
【発明の詳細な説明】
【技術分野】
【０００１】  本発明は、ヨトウムシなどの土中に潜む害虫からキャベツや白菜などの農作物を防護する用具に関するものである。
【背景技術】
【０００２】  ヨトウムシは夜に土中からキャベツや白菜などの農作物の茎を伝って葉を食い荒らす代表的な害虫である。【０００３】  ヨトウムシなどの土中に潜む害虫から農作物を守る手段としては、農薬散布や夜の活動時に取除くことや茎周辺の土中を掘り返して取除くなどがあるが、農薬を使いたくない場合や一匹ずつ探し出す手間などの問題を抱えている。【０００４】  また、特許公開平０８−２３８６４では用具の取り付け穴の内径が樹木の直径より大きくした構造であるため、あらかじめ開けられている穴に農作物の成長初期の茎を隙間無く密着させる構造とはなっていない。また、害虫の移動阻止用具と樹木保護材とは同一構造体ではないので設置には樹木保護材を巻いてから害虫の移動阻止用具を取り付けるため設置が容易ではない。そして、キャベツや白菜などでは、苗から収穫期までに茎が１０倍近くも太くなる農作物においては利用し難い。さらに、樹木取り巻き部材と薬剤収容部部材とカバー部材とによる立体構造においては切れ目を容易に十分開くことは困難である。
【発明の開示】
【発明が解決しようとする課題】
【０００５】  キャベツや白菜などを無農薬または低農薬で栽培する場合、飛んでくる害虫は防虫シートなどによるトンネル敷設で防護できるが、ヨトウムシなど土中から出てくる害虫を農薬を用いずに効果的に防護するのは困難であり被害が少なくない。【０００６】  そこで、本発明は、キャベツや白菜などのように成長初期から収穫期までに茎が１０倍近くも太くなる農作物においても成長初期から容易に装着でき、収穫期まで装着し続ける間の農作物の成長を阻害することなく、ヨトウムシなどの土中からの害虫から農作物の被害を回避できる軽量かつ装着が容易な用具の提供を課題とした。
【課題を解決するための手段】
【０００７】  本発明は、中心部（１）がウレタンフォームなどの弾力性のある柔らかく軽量な素材で、装着する農作物の収穫期の茎の直径よりも十分大きく形成し、辺縁部（２）はポリエチレンや厚紙などの折り曲げができる伸縮性が低く硬い軽量な素材で形成し、外側縁より中心に向かい中心を越える長さでありかつ中心部（１）の反対側の縁まで達しない長さの切れ目（３）の入った構造とした。
【発明の効果】
【０００８】  弾力性のある柔らかい素材で形成し、外側縁より中心に向かい中心を越えない長さの切れ目では、茎の成長により本発明の構造体は切れ目（３）の延長上の延長方向にずれてしまうが、外側縁より中心に向かい中心を越える長さでありかつ反対側の縁まで達しない長さの切れ目（３）を形成することにより、茎の成長によっても本発明の構造体にずれが生じなくなった。【０００９】  また、中心部（１）は弾力性のある柔らかい素材で形成し、辺縁部（２）は折り曲げができて伸縮性が低く硬い素材で形成した構造により、農作物の茎の成長によって生じる弾力性のある柔らかい素材の歪みを軽減できた。【００１０】  ウレタンフォームなどの弾力性のある柔らかく軽量な素材で装着する農作物の収穫期の茎の直径よりも十分大きく形成した中心部（１）により、本発明を装着したキャベツや白菜などの茎の直径は収穫期までに成長を阻害されることなく成長初期の１０倍近くになったが、茎は中心部（１）に隙間無く収まっていた。【００１１】    本発明の構造により、本発明を装着したキャベツや白菜は成長初期から収穫期までにヨトウムシなどの土中から茎（４）を伝わってくる害虫による被害がほとんど無くなった。
【発明を実施するための最良の形態】
【００１２】    図１と図２とで示す形態を最良の形態とする。すなわち、中心部（１）はウレタンフォームなどの弾力性のある柔らかく軽量な素材で、装着する農作物の収穫期の茎の直径よりも十分大きく形成し、辺縁部（２）はポリエチレンや厚紙などの折り曲げができて伸縮性
低く硬い軽量な素材で形成し、外側縁より中心に向かい中心を越える長さでありかつ中心部（１）の切れ目（３）の反対側の縁まで達しない長さの切れ目（３）の入った構造とした。【００１３】  切れ目（３）は、閉じた状態では辺縁部（２）には隙間があるが中心部（１）には隙間はない。【００１４】  本発明を茎（４）に装着するには、切れ目（３）を両手で開きながらキャベツや白菜などの成長初期の茎（４）の地面に近い部分に切れ目（３）を差し入れて、中心部（１）の中央付近に茎（４）が来たところで開いた切れ目（３）を閉じ、辺縁部（２）の切れ目（３）を粘着テープやホチキスなどで固定して切れ目が開かないようにする。【００１５】  図３は、図１と図２に示す最良の形態を茎（４）に装着した例である。
【産業上の利用可能性】
【００１６】  農作物の栽培管理において、土中から出てくる害虫の防護に有用である。
【図面の簡単な説明】
【００１７】
【図１】最良の形態の平面図である。
【図２】最良の形態の平面図である。
【図３】最良の形態を装着した平面図である。
【符号の説明】
【００１８】  １    中心部
２    辺縁部
３    切れ目
４    茎
【図１】
0004993279.tif 000002
【図２】
0004993279.tif 000003
【図３】
0004993279.tif 000004
(57)【特許請求の範囲】
【請求項１】
海中に船を設け、船内に、高圧な空気を導入するため高圧空気室と、円筒形状をなす外側回転扇Ｙと、外側回転扇の内側に配置された円筒形状をなす内側回転扇Ｒと、を設置し、内側回転扇Ｒの中心に主力発電軸を設けるとともに、外側回転扇Ｙと内側回転扇Ｒの間に当該外側回転扇Ｙと内側回転扇Ｒの回転力が伝達されるように６本の発電軸を設け、前記外側回転扇Ｙ及び内側回転扇Ｒに、船の外より船内に噴出される海水と高圧空気室より導入される高圧空気とを混合したジェット噴流を当てて、内側回転扇Ｒを回転させることにより主力発電軸を回転させ、かつ、前記外側回転扇Ｙと内側回転扇Ｒとは反対方向に回転させることにより前記６本の発電軸を回転させ、前記主力発電軸及び前記６本の発電軸に連結された発電機により発電を行なう発電装置である。
【発明の詳細な説明】
【技術分野】
【０００１】回転扇発電に於ける大容量発電の新構想である【０００２】  大量の排海水を確実に処理する為の各設備の強力化と確実な設置構想である。【０００３】  図１・図２・図３にて説明をする。【０００４】  別図の通り浮力回転扇の上、下回転扇を回転方向を別方向に回転さす事により、大容量の発電がより可能となるものである。
【発明の概要】
【発明が解決しようとする課題】
【０００５】  海中発電の１つである浮力回転扇発電に於ける発電容量の増大をいかにするかが大問題であり、この問題を解決する為の新発電方法である。
【課題を解決するための手段】
【０００６】  海中発電の中で大切な役目を課たす回転扇の回転に依る発電をより効率を上げる事になれば殆んど海中発電での回転扇発電方式の変更等一切必要とせず強力な発電量を確保出来るものである。
【発明の効果】
【０００７】  海中発電が成功するか失敗するかの違いは本当に強力な発電力を確保出来るかどうかという事と思うが主力となるべき浮力式回転扇の発電方式の能力をより強力に増大させる事が大切であるとの想いから何通りの思考の中からの新方法である。
新方法による発電能力は強力な発電能力を持ち今後海中発電に於ける大可能性が見える事となりより身近なものとなり、いよいよ海中発電が大発展するものです。
【図面の簡単な説明】
【０００８】
【図１】回転扇の回転方向を図の通りとし、６０ｍの回転扇の各々反対方向えの回転力を利用し、その間に発電機に継がる発電軸を超高速回転とさすものである。
【図２】浮力回転船の全体図と円盤形海流安定海中扇による海中安定図と海水放出機械室の強力な排海水方法の全体図とより強力な排海水能力を持つ空気容器安定船図とその処理能力を越えた場合の「排海水処理施設」である「大深度深海水排圧深海船」の海中での全体図である。
【図３】現在では考えられない大容量の「大深度深海水排圧深海船」の深海えの設置方法を海上にて組立てて現時点では全世界でも考えられた事のない１，０００ｍ×５００ｍ×３００ｍの大容量の「大深度深海水排圧深海船」を深海に設置する為の組立て方法とこの大容器船の設置に依り、数十基の浮力回転扇発電設備よりの排海水を処理が可能となり現時点では想像も出来ない大規模大容量の発電施設が出現するものである。
【発明を実施するための形態】
【０００９】  海中に船を設け、船内に、高圧な空気を導入するための高圧空気室と、円筒形状をなす外側回転扇Ｙと、外側回転扇の内側に配置された円筒形状をなす内側回転扇Ｒと、を設置し、内側回転扇Ｒの中心に主力発電軸を設けるとともに、外側回転扇Ｙと内側回転扇Ｒの間に当該外側回転扇Ｙと内側回転扇Ｒの回転力が伝達されるように６本の発電軸を設け、前記外側回転扇Ｙ及び内側回転扇Ｒに、船の外より船内に噴出される海水と高圧空気室より導入される高圧空気とを混合したジェット噴流を当てて、内側回転扇Ｒを回転させることにより主力発電軸を回転させ、かつ、前記外側回転扇Ｙと内側回転扇Ｒとは反対方向に回転させることにより前記６本の発電軸を回転させ、前記主力発電軸及び前記６本の発電軸に連結された発電機により発電を行なう発電装置である。
【要約】      （修正有）【課題】海中発電の１つである浮力回転扇発電に於ける発電容量の増大をいかにするかが大問題であり、この問題を解決する為の新発電方法を提供する。【解決手段】高水圧ジェット噴出装置より強力なジェット海水が各回転扇に噴出されその排海水が下の海水放出圧力機械室にて大量処理をされ、処理が出来ない排海水がその下に設置をされた空気容器安定船にて処理をされる。また、陸地より出来るだけ近い場所を選定する。【選択図】図２【図１】
0004993027.tif 000002
【図２】
0004993027.tif 000003
【図３】
0004993027.tif 000004
(57)【特許請求の範囲】
【請求項１】
シロマジンと餌成分とを含有し、シロマジンと餌成分の比率がシロマジン1重量部に対して餌成分が１０〜１００００重量部であることを特徴とするシロアリ用食毒剤。
【請求項２】
請求項１に記載のシロアリ用食毒剤を用いることを特徴とするシロアリの防除方法。
【発明の詳細な説明】
【０００１】
【発明の属する技術分野】
本発明は、ある種のトリアジン化合物を有効成分とすることを特徴とするシロアリ用食毒剤及びそれを用いるシロアリの防除方法に関する。
【０００２】
【従来の技術および発明が解決しようとする課題】
従来、ヘキサフルムロン等のベンゾイルフェニルウレア系昆虫成長調節性化合物を有効成分とするシロアリ用食毒剤が知られている。しかしながら、このベンゾイルフェニルウレア系昆虫成長調節性化合物を有効成分とするシロアリ用食毒剤は効力を発揮するまでに長期間を要するという問題があった。
本発明は短期間で高い効力を発揮するシロアリ防除用食毒剤、及びそれを用いるシロアリの防除方法を提供することを課題とする。
【０００３】
【課題を解決するための手段】
本発明者らは短期間で高い効力を発揮するシロアリ用食毒剤を開発すべく鋭意検討した結果、一般式（１）
【化２】
0004993829.tif 000002
（式中、Ｒ１は水素原子、炭素数１ないし３のアルキル基、２−メトキシエチル基、アリル基、プロパルギル基、若しくはシクロプロピル基を表し、Ｒ２は水素原子若しくはエチル基を表すか、またはＲ１及びＲ２はこれらが結合されている窒素原子と一緒になってピロリジノ基、モルホリノ基若しくはイミダゾリル基を表し、Ｒ３は水素原子、炭素数１ないし３のアルキル基、またはシクロプロピル基を表し、Ｒ４は水素原子またはメチル基を表す。）
で示されるトリアジン化合物を有効成分とする食毒剤をシロアリに摂食させることにより、短期間で高い効力を発揮し効果的にシロアリを防除できることを見出し、本発明を完成した。
即ち、本発明は一般式（Ｉ）で示されるトリアジン化合物を有効成分として含有することを特徴とするシロアリ用食毒剤及びそれを用いることを特徴とするシロアリの防除方法を提供する。
【０００４】
【発明の実施の形態】
本発明のシロアリ用食毒剤の有効成分である一般式（Ｉ）で示されるトリアジン化合物としては例えばＲ１、Ｒ２、Ｒ３及びＲ４がすべて水素原子である化合物が挙げられる。
一般式（Ｉ）で示されるトリアジン化合物は特公昭６０−５２７０５号公報に記載の化合物であり、該公報に記載の方法に準じて製造することができる。
【０００５】
本発明のシロアリ用食毒剤は一般式（Ｉ）で示されるトリアジン化合物単独でもよいが、通常、一般式（Ｉ）で示されるトリアジン化合物と餌成分とを含有するシロアリ用食毒剤がシロアリの摂食を促進する点から好ましい。
この場合に餌成分の比率は、一般式（Ｉ）で示されるトリアジン化合物１重量部に対して、通常餌成分は１０〜１００００重量部の範囲である。
【０００６】
一般式（Ｉ）で示されるトリアジン化合物と餌成分とを含有するシロアリ用食毒剤は通常、一般式（Ｉ）で示されるトリアジン化合物と餌成分とを混合し必要に応じてその他の補助剤を添加して調製される。
餌成分としては、シロアリが摂食する素材が用いられ、例えば木片（アカマツの木片、クロマツの木片、カラマツの木片、ラジアータパインの木片等）、紙類（例えば濾紙、未晒し紙、再生紙）及びセルロースが挙げられる。
補助剤としては、例えばシロアリを誘引する物質（フェロモンやグリコールエーテル類等）が挙げられる。
【０００７】
一般式（Ｉ）で示されるトリアジン化合物と餌成分とを含有するシロアリ用食毒剤は、具体的には例えば一般式（Ｉ）で示されるトリアジン化合物及び必要に応じて添加されるシロアリを誘引する物質を揮発性有機溶媒または水に溶解し、餌成分と混合し又は餌成分に吸収させた後、乾燥することにより製造することができる。
【０００８】
本発明のシロアリ用食毒剤は、例えば本発明のシロアリ用食毒剤を家屋の周囲またはシロアリの生息場所（例えば、木の切り株、枯れ木）に施用する方法；及び本発明のシロアリ用食毒剤をシロアリが通れる大きさの孔を有する容器（例えば、特表２０００−５０９９８２号公報に記載の容器）に収納し、その容器をシロアリの通り道に設置する方法によりシロアリ防除に用いることができる。
【０００９】
本発明のシロアリ用食毒剤が効力を有するシロアリ類としては、例えばヤマトシロアリ、イエシロアリ、アメリカカンザイシロアリ、ダイコクシロアリ、タイワンシロアリ、コウシュンシロアリ、サツマシロアリ、ナカジマシロアリ、カタンシロアリ、コダマシロアリ、クシモトシロアリ、オオシロアリ、コウシュウイエシロアリ、アマミシロアリ、キアシシロアリ、カンモンシロアリ、タカサゴシロアリ、ニトベシロアリ、ムシャシロアリが挙げられる。
【００１０】
【実施例】
次に本発明を製剤例及び試験例によりさらに詳細に説明するが、本発明はこれらの例により限定されるものではない。
【００１１】
まず、製剤例を示す。なお、部は重量部を意味する。
製剤例１
一般式（Ｉ）において、Ｒ１、Ｒ２、Ｒ３及びＲ４が水素原子である化合物（以下、シロマジンと記す。）０．３部を適量のメタノールに溶解し、これを未晒し紙９９．７部に吸収させた後、一昼夜室温で放置することにより本発明シロアリ用食毒剤（１）を得た。
【００１２】
製剤例２
シロマジン０．５部、未晒し紙９９．５部を用いた以外は製剤例１と同様に本発明シロアリ用食毒剤（２）を得た。
【００１３】
製剤例３
シロマジン０．３部、アカマツ薄片９９．７部を用いた以外は製剤例１と同様に本発明シロアリ用食毒剤（３）を得た。
【００１４】
製剤例４
シロマジン０．５部、アカマツ薄片９９．５部を用いた以外は製剤例１と同様に本発明シロアリ用食毒剤（４）を得た。
【００１５】
次に、本発明シロアリ用食毒剤がシロアリ防除に有用であることを試験例に示す。
試験例
直径９ｃｍのガラスシャーレに、２×２ｃｍに裁断し、水で湿らせた製剤を入れ、イエシロアリの職蟻１００頭を投入し、蓋をした。
２０×３０ｃｍのプラスチック製シール容器に上記のガラスシャーレと水をはったガラスシャーレとを入れ、蓋をして黒ビニール袋で覆い、２５℃の恒温室内に置いた。毎週少量の水を補給し、試料が２分の１以下になった場合は同一の製剤を１枚追加した。２、４及び６週間後にシロアリの生死を調査し、生存率を求めた。
なお、対照区の製剤としては、ヘキサフルムロン０．５重量部を９９．５部の紙に染み込ませ、２×２ｃｍに裁断したものを用いた。
結果を表１に示す。
【００１６】
【表１】
0004993829.tif 000003
【００１７】
【発明の効果】
本発明のシロアリ用食毒剤は短期間で高い効力を発揮し、シロアリを効果的に防除することができる。
(57)【特許請求の範囲】
【請求項１】
一端から他端にガスの通過が可能な筒状体に、上流側から第１の薬剤と第２の薬剤とが層状に装填されており、前記第１の薬剤が硝酸銀をシリカ粒子に担持させて調製され、また第２の薬剤が酸化マグネシウムをシリカ粒子に担持させて調製されていることを特徴とするガス検出器用硫化水素除去フィルタ。
【請求項２】
前記第１の薬剤の層と第２の薬剤の層の間に通気性を有する仕切り材が配置されている請求項１に記載のガス検出器用硫化水素除去フィルタ。
【発明の詳細な説明】
【技術分野】
【０００１】
本発明は、環境中のアルコールなどの有機ガスを検出する検出装置に適した硫化水素除去用フィルタに関する。
【背景技術】
【０００２】
大気中に存在する有機ガスを検出する場合に、電気化学式ガスセンサーを使用すると、このガスセンサーは硫化水素にも高い感度を有するため測定誤差が発生するという問題がある。
このため、特許文献１に見られるようにガス透過性を有する収容体に、硫化水素と化合しやすい金属の硫酸塩をアルミナ粒子に吸着させて収容して構成されたガス検出器用硫化水素除去フィルタが用いられている。
【特許文献１】特開２００３−２３２７７０号公報
【発明の開示】
【発明が解決しようとする課題】
【０００３】
しかしながら、このフィルタは、亜硫酸ガスを検出対象とし、硫化水素を除去対象とするものであるため、有機ガスを検出対象にする場合に利用すると、アルミナ粒子により有機ガスが吸着されてしまい測定誤差や応答遅れが生じるという不都合がある。
本発明はこのような事情に鑑みてなされたものであってその目的とするところは、有機ガスの吸着を可及的に少なくしたガス検出器用硫化水素除去用フィルタを提供することである。
【課題を解決するための手段】
【０００４】
このような課題を達成するために請求項１の発明は、一端から他端にガスの通過が可能な筒状体に、上流側から第１の薬剤と第２の薬剤とが層状に装填されており、前記第１の薬剤が硝酸銀をシリカ粒子に担持させて調製され、また第２の薬剤が酸化マグネシウムをシリカ粒子に担持させて調製されている。
【０００５】
また請求項２の発明は、前記第１の薬剤の層と第２の薬剤の層の間に通気性を有する仕切り材が配置されている。
【発明の効果】
【０００６】
請求項１の発明によれば、検出対象である有機ガスの濃度を変化や、吸着による応答遅れを生じさせることなくサンプリングガス中の硫化水素を除去することができる。
【０００７】
請求項２の発明によれば、第２の薬剤で発生したＭｇ（ＮＯ3）2による第１の薬剤の劣化、フィルタ寿命の短縮を防止できる。
【発明を実施するための最良の形態】
【０００８】
図１は本発明のフィルタの一実施例を示すものであって、一端にガス流入口１が、他端にガス流出口２を有し一端から他端にガスの通過が可能な筒状体３に、ガス流入口１側から層状に第１の薬剤４と第２の薬剤５とを装填して構成されている。
【０００９】
上流側に装填される第１の薬剤４は、担体となるシリカ粒子ゲル粒子に硝酸銀を吸着させて調製されており、また下流側の第２の薬剤５は担体となるシリカ粒子ゲル粒子に酸化マグネシウムを吸着させて構成されている。
なお、図中符号６乃至８は、それぞれガス流入口１、ガス流出口２、及び第１と第２の薬剤４、５との境界に配置されたガス透過可能な仕切り材を示す。
【００１０】
（実施例）
まず、第１の薬剤４の調製方法について説明する。
硝酸銀２３．３ｇを水１００ｍｌに溶解させた溶液に、シリカ粒子１０ｇを投入する。次に３００℃に加熱して水分を完全に揮散させる。
【００１１】
次に第２の薬剤５の調製方法について説明する。
酸化マグネシウム１０ｇを水１００ｍｌに溶解させた溶液に、シリカ粒子１０ｇを投入する。次に３００℃に加熱しながら水分を完全に揮散させる。さらに５００℃で５時間ほど加熱して焼成する。
【００１２】
一方、硝酸銀、及び酸化マグネシウムを担持させるシリカ粒子は、薬品の担持量と通気性の関係から６０乃至８０メッシュのものが望ましい。また３００℃で加熱する関係上、硝酸銀、及び酸化マグネシウムとの反応を防止するため、シリカ粒子の少なくとの表面の金属成分を除去したもの（ＧＬサイエンス社製  ＵｎｉｐｏｒｔＢ）が好適である。
【００１３】
この実施例において、ガス検出器に本発明のフィルタを接続してサンプリングを開始すると、サンプリングガスに含まれている硫化水素は第１の薬剤４の層で
Ｈ2Ｓ  ＋  ２ＡｇＮＯ3  →  Ａｇ2Ｓ  ＋  ２ＨＮＯ3
なる反応により硫化水素の硫黄分は硫化銀（Ａｇ2Ｓ）として第１の薬剤４の層で固定され、同時に発生する硝酸（ＨＮＯ3）は一部が気体となって第２の薬剤５の層に流入する。
【００１４】
第１の薬剤４の層で発生した硝酸は第２の薬剤５の層の酸化マグネシウムと
２ＨＮＯ3  ＋  ＭｇＯ  →  Ｍｇ（ＮＯ3）2  ＋  Ｈ2Ｏ
なる反応により水と硝酸マグネシウム（Ｍｇ（ＮＯ3）2）となり、硝酸が除去されたサンプリングガスがガス検出器に流入する。
なお、水分は、ガス検出器出力を左右しないから、測定誤差は生じない。
【００１５】
なお、第１の薬剤の層４と第２の薬剤５の層との間の仕切り材８が存在するため、第２の薬剤５で発生したＭｇ（ＮＯ3）2が第１の薬剤４の層の未使用領域に作用して第１の薬剤４を劣化させるのが防止されている。
【００１６】
前述の通り調製された第１の薬剤４を１．０ｇ、また第２の薬剤５を０．５グラムを内径１１ｍｍ筒状体に充填してフィルタを構成し、１００ｐｐｍの硫化水素を含むガスを  ０．５Ｌ／ｍｉｍで流してガス検出器の出力を調査したところ、図２に示したように１０００乃至１１００分の間、検出器の出力はベース値を示し、その後に検出器が硫化水素に感応して出力が上昇した。
ところで、測定環境中には１００ｐｐｍという高濃度の硫化水素は存在しないから、本願発明のフィルタは実用的に十分な長さの寿命を有することが確認できた。
【００１７】
一方、有機ガスの吸着の有無を調査するため、それぞれ濃度５０％ＬＥＬのメタン、イソブタン、ヘキサン、エタノールを、本発明のフィルタを接続していないガス検出器（図中  符号□で示す）、及び本発明のフィルタを接続したガス検出器（図中  符号○で示す）にパルス状に流して出力を調査したところを図３（ａ）、（ｂ）、図４（ａ）、（ｂ）のようになった。
これらのことから本発明のフィルタは有機ガスを吸着しないことが確認できた。
【図面の簡単な説明】
【００１８】
【図１】本発明のフィルタの一実施例を示す断面図である。
【図２】本発明のフィルタを検出器に接続して硫化水素を供給したときの検出器出力を示す線図である。
【図３】図（ａ）、（ｂ）は、それぞれ本発明のフィルタを接続した検出器、及び検出器だけにメタン、ヘキサンを供給したときの検出器の出力を示す線図である。
【図４】図（ａ）、（ｂ）は、それぞれ本発明のフィルタを接続した検出器、及び検出器だけにイソブタン、エタノールを供給したときの検出器の出力を示す線図である。
【符号の説明】
【００１９】
４  第１の薬剤    ５  第２の薬剤    ６〜８  仕切り材
【図１】
0004931244.tif 000002
【図２】
0004931244.tif 000003
【図３】
0004931244.tif 000004
【図４】
0004931244.tif 000005